(57)【要約】      （修正有）【課題】構造がシンプルであり、使用者の頭部に簡単にフィットさせることができると共に、掛け心地にも優れる眼鏡を提供する。【解決手段】左右一対のレンズＬを有するフロント部Ｆと、フロント部Ｆの両端から後方に延びるテンプル部Ｔと、テンプル部Ｔに取り付けられたモダン部Ｍとを備える眼鏡１００であって、テンプル部Ｔが、フロント部Ｆに取り付けられた本体部と、本体部の後端から後方に延びるライン状の取付部とからなり、モダン部Ｍが、取付部を挿入可能な中空状の後支持部と、後支持部の前端から前方に延びる前支持部とからなり、後支持部に取付部を挿入することにより、モダン部Ｍが、テンプル部Ｔに取り付けられており、前支持部及び後支持部が使用者の側頭部に当接される。【選択図】図１
0003198964.tif 000002
【実用新案登録請求の範囲】
【請求項１】
左右一対のレンズを有するフロント部と、該フロント部の両端から後方に延びるテンプル部と、該テンプル部に取り付けられたモダン部とを備える眼鏡であって、
前記テンプル部が、前記フロント部に取り付けられた本体部と、該本体部の後端から後方に延びるライン状の取付部とからなり、
モダン部が、前記取付部を挿入可能な中空状の後支持部と、該後支持部の前端から前方に延びる前支持部とからなり、
前記後支持部に前記取付部を挿入することにより、前記モダン部が、前記テンプル部に取り付けられており、
前記前支持部及び前記後支持部が使用者の側頭部に当接される眼鏡。
【請求項２】
前記モダン部のみを使用者の側頭部に当接させることにより支持される請求項１記載の眼鏡。
【請求項３】
前記前支持部が前方に行く程、内側に屈曲しており且つ下方に屈曲している請求項１又は２に記載の眼鏡。
【請求項４】
前記前支持部が、前端に使用者の側頭部に当接させるための当接部を有し、
該当接部が、他の前支持部の部分よりも上下幅が大きくなっている請求項１〜３のいずれか１項に記載の眼鏡。
【請求項５】
前記前支持部が二股形状となっている請求項４記載の眼鏡。
【請求項６】
前記後支持部に前記取付部を挿入又は前記後支持部から前記取付部を抜去することにより、前記モダン部が、前記テンプル部から着脱自在となっている請求項１〜５のいずれか１項に記載の眼鏡。
【請求項７】
前記前支持部の材質がエラストマーからなるものである請求項１〜６のいずれか１項に記載の眼鏡。
【請求項８】
前記前支持部には金属芯が挿入されている請求項７記載の眼鏡。
【請求項９】
前記前支持部がねじれ方向に塑性変形可能となっている請求項８記載の眼鏡。
【請求項１０】
前記後支持部の材質が熱可塑性樹脂からなるものである請求項１〜９のいずれか１項に記載の眼鏡。
【考案の詳細な説明】
【技術分野】
【０００１】
本考案は、眼鏡に関し、更に詳しくは、構造がシンプルであり、使用者の頭部に簡単にフィットさせることができると共に、掛け心地にも優れる眼鏡に関する。
【背景技術】
【０００２】
眼鏡は一般に、左右一対のレンズを有するフロント部と、フロント部に取り付けられる鼻パッドと、フロント部の両側から後方に延びるテンプル部と、テンプル部に取り付けられるモダン部とから構成される。
かかる眼鏡は、使用者の鼻に鼻パッドを掛け、使用者の頭部を両側からモダン部で挟み込むと共に、モダン部を耳に掛けることにより着用される。
【０００３】
ところで、眼鏡を着用する際、使用者の鼻の高さや頭部の形状には個人差があるため、鼻パッドが鼻にフィットしない場合があり、また、モダン部が頭部の形状にフィットしない場合がある。
これらの場合、着用した眼鏡がずれ易くなる欠点がある。
また、モダン部のフィット感が極めて悪い場合、極端には頭痛が生じる恐れもある。
【０００４】
それに対し、近年、眼鏡のフィット感を向上させるため、モダン部の改良が行われている。
例えば、眼鏡フレームのヨロイに基端側が連結されるテンプル本体と、このテンプル本体に連結され、顔の側面を挟むことができる挟み体と、を有し、テンプル本体と挟み体が第一のリンクを介して、第一のリンクがテンプル本体に対してテンプル本体の長手方向に直交する第一の軸の回りを相対的に回転でき、かつ挟み体が第一のリンクに対して第一の軸と平行な第二の軸の回りを相対的に回転できるように連結され、そして、テンプル本体と挟み体とが、挟み体がテンプル本体に対して相対的にスライドでき、かつ挟み体がテンプル本体に対して第一及び第二の軸と平行な第三の軸の回りを相対的に回転できるように連結される眼鏡フレーム用テンプルが知られている（例えば、特許文献１参照）。
【先行技術文献】
【特許文献】
【０００５】
【特許文献１】特開２００８−１０２４５４号公報
【考案の概要】
【考案が解決しようとする課題】
【０００６】
しかしながら、上記特許文献１記載の眼鏡フレーム用テンプルは、第一に構造が複雑であるという欠点がある。
また、モダンの回転がトーションばねにより拘束されているため、モダンを頭部にフィットさせた際には、トーションばねによる部分的な力がモダンから頭部に伝わることになる。その結果、部分的に頭部が圧迫され、掛け心地が悪くなる傾向にある。
【０００７】
本考案は上記事情に鑑みてなされたものであり、構造がシンプルであり、使用者の頭部に簡単にフィットさせることができると共に、掛け心地にも優れる眼鏡を提供することを目的とする。
【課題を解決するための手段】
【０００８】
本考案者は、上記課題を解決するため鋭意検討したところ、モダン部の後支持部にテンプル部の取付部を挿入することにより、モダン部をテンプル部に取り付け可能とし、且つ、モダン部の前支持部及び後支持部を使用者の側頭部に当接させる構造とすることにより、上記問題点を解決できることを見出し、本考案を完成させるに至った。
【０００９】
本考案は、（１）左右一対のレンズを有するフロント部と、該フロント部の両端から後方に延びるテンプル部と、該テンプル部に取り付けられたモダン部とを備える眼鏡であって、テンプル部が、フロント部に取り付けられた本体部と、該本体部の後端から後方に延びるライン状の取付部とからなり、モダン部が、取付部を挿入可能な中空状の後支持部と、該後支持部の前端から前方に延びる前支持部とからなり、後支持部に取付部を挿入することにより、モダン部が、テンプル部に取り付けられており、前支持部及び後支持部が使用者の側頭部に当接される眼鏡に存する。
【００１０】
本考案は、（２）モダン部のみを使用者の側頭部に当接させることにより支持される上記（１）記載の眼鏡に存する。
【００１１】
本考案は、（３）前支持部が前方に行く程、内側に屈曲しており且つ下方に屈曲している上記（１）又は（２）に記載の眼鏡に存する。
【００１２】
本考案は、（４）前支持部が、前端に使用者の側頭部に当接させるための当接部を有し、該当接部が、他の前支持部の部分よりも上下幅が大きくなっている上記（１）〜（３）のいずれか１つに記載の眼鏡に存する。
【００１３】
本考案は、（５）前支持部が二股形状となっている上記（４）記載の眼鏡に存する。
【００１４】
本考案は、（６）後支持部に取付部を挿入又は後支持部から取付部を抜去することにより、モダン部が、テンプル部から着脱自在となっている上記（１）〜（５）のいずれか１つに記載の眼鏡に存する。
【００１５】
本考案は、（７）前支持部の材質がエラストマーからなるものである上記（１）〜（６）のいずれか１つに記載の眼鏡に存する。
【００１６】
本考案は、（８）前支持部には金属芯が挿入されている上記（７）記載の眼鏡に存する。
【００１７】
本考案は、（９）前支持部がねじれ方向に塑性変形可能となっている上記（８）記載の眼鏡に存する。
【００１８】
本考案は、（１０）後支持部の材質が熱可塑性樹脂からなるものである上記（１）〜（９）のいずれか１つに記載の眼鏡に存する。
【考案の効果】
【００１９】
本考案の眼鏡は、モダン部の後支持部を中空状とし、テンプル部の取付部をライン状とし、取付部を後支持部に挿入することにより、モダン部がテンプル部に取り付けられるので、構造が極めてシンプルである。
また、これにより、部品点数が少なくなるため、眼鏡の製造も極めて容易となる。
【００２０】
本考案の眼鏡は、モダン部が前支持部を有し、当該前支持部と後支持部とを使用者の側頭部に当接させる構造とすることにより、使用者の頭部の形状が異なる場合であっても、その形状に合わせてモダン部を全体的に使用者の頭部にフィットさせることができる。これにより、モダン部が部分的に頭部を圧迫することがなく、掛け心地が極めて優れるものとなる。
また、頭部の両側からモダン部が全体的に当接されるため、眼鏡のずれも抑制することができる。
【００２１】
このとき、モダン部のみを使用者の側頭部に当接させることにより支持されることが好ましい。すなわち、眼鏡は、鼻パッドを有さず、また、眼鏡のフレーム部が使用者の鼻に当接されることもなく、モダン部のみにより眼鏡が支持されるので、使用者の鼻の高さにかかわらず、使用者の頭部に眼鏡をフィットさせることができる。
【００２２】
本考案の眼鏡は、前支持部が前方に行く程、内側に屈曲しているので、モダン部を頭部に当接させ易い。
また、前支持部が前方に行く程、下方に屈曲しているので、当接させた前支持部が眼鏡の重量で下方にずり下がることを抑制することができる。
【００２３】
本考案の眼鏡は、前支持部が、前端に使用者の側頭部に当接させるための当接部を有し、該当接部が、他の前支持部の部分よりも上下幅が大きくなっているので、当接による圧力が分散される。これにより、頭部が圧迫されることなく、掛け心地がより優れるものとなる。
このとき、前支持部が二股形状となっているとフィット感をより向上させることができる。
【００２４】
本考案の眼鏡は、後支持部に取付部を挿入又は後支持部から取付部を抜去することにより、モダン部が、テンプル部から着脱自在となっているので、モダン部のサイズが使用者の頭部に合わない場合は簡単に取り換えることができる。
また、破損した場合等に簡単に新しいものと交換することができる。
【００２５】
本考案の眼鏡は、前支持部の材質がエラストマーからなるものであるので、軽量であり且つ柔軟性にも優れる。このため、使用者の頭部の形状が異なる場合であっても、その形状に合わせてモダン部を全体的に使用者の頭部にフィットさせることができる。
また、前支持部に金属芯が挿入されている場合、所定の形態を維持することができる。
このとき、前支持部がねじれ方向に塑性変形が可能となっていると、フィット感をより向上させることができる。
【００２６】
本考案の眼鏡は、後支持部の材質が熱可塑性樹脂からなるものであるので、軽量であり、且つ後支持部の製造が容易である。
【図面の簡単な説明】
【００２７】
【図１】図１は、本考案に係る眼鏡の一実施形態を示す斜視図である。
【図２】図２は、本実施形態に係る眼鏡におけるテンプル部を示す側面図である。
【図３】図３（ａ）は、本実施形態に係る眼鏡におけるモダン部を示す側面図であり、（ｂ）は、（ａ）の上面図である。
【図４】図４は、本実施形態に係る眼鏡におけるモダン部の前支持部の動きを説明するための説明図である。
【図５】図５の（ａ）は、本実施形態に係る眼鏡においてモダン部をテンプル部に取り付けた状態を示す側面図であり、（ｂ）は、（ａ）の上面図である。
【図６】図６は、本実施形態に係る眼鏡を使用者が着用した状態を示す模式上面図である。
【図７】図７の（ａ）又は（ｂ）は、他の実施形態に係る眼鏡におけるモダン部を示す側面図である。
【図８】図８の（ａ）又は（ｂ）は、他の実施形態に係る眼鏡におけるモダン部を示す側面図である。
【考案を実施するための形態】
【００２８】
以下、必要に応じて図面を参照しつつ、本考案の好適な実施形態について詳細に説明する。なお、図面中、同一要素には同一符号を付すこととし、重複する説明は省略する。また、図面の寸法比率は図示の比率に限られるものではない。
【００２９】
図１は、本考案に係る眼鏡の一実施形態を示す斜視図である。
図１に示すように、本実施形態に係る眼鏡１００は、左右一対のレンズＬを有するフロント部Ｆと、該フロント部Ｆの両端に設けられたヒンジ部Ｓを介して、フロント部Ｆの両端から後方に延びるテンプル部Ｔと、該テンプル部Ｔの後方に取り付けられたモダン部Ｍとを備える。
【００３０】
眼鏡１００においては、いわゆる鼻パッドを有しておらず、モダン部Ｍのみを使用者の側頭部に当接させる。すなわち、眼鏡１００は、使用者の鼻の高さにかかわらず、モダン部Ｍのみを使用者の側頭部に両側から当接させることにより、使用者の頭部にフィットさせることが可能となっている。
【００３１】
フロント部Ｆは、左右一対のレンズＬと、両レンズＬを架橋するブリッジ１と、を有する。
また、フロント部Ｆの両側には、それぞれ、ヒンジ部Ｓを介してテンプル部Ｔが折畳み可能となるように取付けられている。なお、当該ヒンジ部Ｓは、公知のものを適宜採用することができる。
【００３２】
図２は、本実施形態に係る眼鏡におけるテンプル部を示す側面図である。
図２に示すように、テンプル部Ｔは、ヒンジ部Ｓを介してフロント部Ｆに取り付けられた本体部２ａと、該本体部２ａの後端が先細りしながら更に後方に延びる取付部２ｂとからなる。
テンプル部Ｔにおいて、本体部２ａと取付部２ｂとは連続しており、一体となっている。
ここで、本体部２ａ及び取付部２ｂの材質は、特に限定されないが、金属からなることが好ましい。
かかる金属としては、例えば、チタン合金、ステンレス等が挙げられる。
【００３３】
本体部２ａは、板状となっており、フロント部Ｆに対して折畳み可能となるようにヒンジ部Ｓを介してフロント部Ｆに接続されている。
一方、取付部２ｂは、ライン状となっており、後述するモダン部Ｍの後支持部の中空部に挿入可能となっている。
【００３４】
図３（ａ）は、本実施形態に係る眼鏡におけるモダン部を示す側面図であり、（ｂ）は、（ａ）の上面図である。
図３の（ａ）及び（ｂ）に示すように、モダン部Ｍは、テンプル部Ｔの取付部２ｂを挿入可能な中空状の後支持部３ｂと、該後支持部３ｂの前端から前方に延びる前支持部３ａとからなる。
また、後支持部３ｂには、中空部７が設けられている。
モダン部Ｍにおいて、前支持部３ａと後支持部３ｂとは連続しており、一体となっている。
【００３５】
モダン部Ｍは、使用者の頭部の形状に沿うように、内側の側面が湾曲した平面となっている。このため、着用した際には、モダン部Ｍ全体を使用者の頭部に当接させることができる。これにより、使用者の頭部へのモダン部Ｍの接触面積が大きくなるので、眼鏡１００を頭部にフィットさせた際の安定度が向上する。
【００３６】
ここで、前支持部３ａの材質は、エラストマーからなる。
かかるエラストマーとしては、例えば、天然ゴム、合成ゴム等の加硫ゴム、ウレタンゴム、シリコーンゴム、フッ素ゴム等の熱硬化性エラストマー、スチレン系、オレフィン系、塩ビ系、ウレタン系、アミド系等の熱可塑性エラストマーが挙げられる。
【００３７】
一方、後支持部３ｂの材質は、エラストマー又は熱可塑性樹脂からなる。これらの中でも、後支持部３ｂの材質は、熱可塑性樹脂からなることが好ましい。
かかるエラストマーとしては、上述した前支持部３ａの材質におけるエラストマーと同質のものを用いることができる。なお、後支持部３ｂの材質がエラストマーである場合、前支持部３ａの材質と後支持部３ｂの材質とは同じであっても、異なっていてもよい。
かかる熱可塑性樹脂としては、ポリエチレン又はポリプロピレン等のポリオレフィン、ポリ塩化ビニル、ポリスチレン、ポリ酢酸ビニル、ポリウレタン、テフロン、ＡＢＳ樹脂、ＡＳ樹脂、アクリル樹脂、ポリアミド、ポリアセタール、ポリカーボネート、ポリエステル、変性ポリフェニレンエーテル、ポリフェニレンスルファイド、ポリサルフォン、ポリエーテルサルフォン、非晶ポリアリレート、ポリエーテルエーテルケトン、ポリイミド、ポリアミドイミド、セルロースプロピオネート、セルロースアセテート等が挙げられる。
なお、前支持部３ａと後支持部３ｂとの連結は、溶着や接着剤を用いて行われる。
【００３８】
眼鏡１００において、前支持部３ａがエラストマーからなり、後支持部３ｂが熱可塑性樹脂からなるため、モダン部Ｍは、軽量であり且つ柔軟性にも優れる。
図４は、本実施形態に係る眼鏡におけるモダン部の前支持部の動きを説明するための説明図である。
図４に示すように、前支持部３ａは、エラストマーからなるため、後支持部３ｂが動かない場合であっても、水平方向に変形させることができる。これにより、使用者の頭部の形状が異なる場合であっても、その形状に合わせてモダン部Ｍを変形させ、全体的に使用者の頭部にフィットさせることが可能となる。
【００３９】
図３に戻り、モダン部Ｍにおいては、前支持部３ａの内部に前支持部３ａの長手方向に沿って金属芯４が挿入されている。これにより、前支持部３ａが極めて柔軟性の高いエラストマーからなる場合であっても、所定の形状を維持することが可能となる。
例えば、前支持部３ａがエラストマーからなるので、捻じることが可能であり、更に、前支持部３ａに金属芯４が挿入されているので、その捻じった方向に塑性変形が可能となる。このため、着用の際には、使用者の側頭部の角度に対応するようにモダン部Ｍを捻じらせることにより、フィット感をより向上させることができる。
かかる金属芯４の材質としては、特に限定されないが、例えば、チタン合金やステンレス等が挙げられる。
【００４０】
モダン部Ｍにおいて、前支持部３ａは、前方に行く程、内側に屈曲している。これにより、モダン部Ｍ全体を頭部に沿って当接させることが可能となる。
また、これに加え、前支持部３ａは、前方に行く程、下方に屈曲している。
これらのことにより、着用した際、眼鏡１００は、モダン部Ｍのみで支持されているにも拘らず、ずれ難くなる。
また、使用者の側頭部に当接させた前支持部３ａが眼鏡１００の重量で下方にずり下がることも抑制することができる。
【００４１】
前支持部３ａは、前端に使用者の側頭部に当接させるための当接部５を有する。
かかる当接部５は、他の前支持部３ａの部分よりも上下幅が大きくなっている。このため、モダン部Ｍを使用者の側頭部に当接された際には、その当接による圧力が当接部の面方向に分散されることになる。その結果、頭部が圧迫されることなく、掛け心地がより優れるものとなる。
【００４２】
後支持部３ｂは、上述したテンプル部Ｔの取付部２ｂを挿入可能な中空部７を有している。
図５の（ａ）は、本実施形態に係る眼鏡においてモダン部をテンプル部に取り付けた状態を示す側面図であり、（ｂ）は、（ａ）の上面図である。
図５の（ａ）及び（ｂ）に示すように、眼鏡１００は、モダン部Ｍの後支持部３ｂの中空部７にテンプル部Ｔの取付部２ｂを挿入することにより、モダン部Ｍが、テンプル部Ｔに取り付けられる。
【００４３】
このように、眼鏡１００においては、モダン部Ｍの後支持部３ｂを中空状とし、テンプル部Ｔの取付部２ｂをライン状とし、取付部２ｂを後支持部３ｂに挿入することにより、モダン部がテンプル部に取り付けられるので、構造が極めてシンプルである。
また、これにより、部品点数が少なくなるため、眼鏡の製造も極めて容易となる。
【００４４】
眼鏡１００においては、後支持部３ｂに取付部２ｂを挿入するのみならず、後支持部３ｂから取付部２ｂを抜去することも可能となっている。すなわち、モダン部Ｍは、テンプル部Ｔから着脱自在となっている。これにより、仮に、モダン部Ｍのサイズが使用者の頭部に合わない場合が生じたとしても簡単に取り換えることができる。
また、破損した場合に簡単に新しいモダン部Ｍと交換することができ、衣装や髪型等に応じて、異なるデザインのモダン部Ｍに交換することもできる。
【００４５】
図６は、本実施形態に係る眼鏡を使用者が着用した状態を示す模式上面図である。
図６に示すように、本実施形態に係る眼鏡１００は、使用者の頭部を両側からモダン部Ｍで挟み込むと共に、モダン部Ｍが頭部を把持することにより着用される。
このとき、前支持部３ａ及び後支持部３ｂが使用者の側頭部に当接される。
【００４６】
眼鏡１００においては、上述したように、モダン部Ｍの内側の側面が湾曲した平面となっているので、使用者の頭部の形状に沿わせて簡単にフィットさせることができる。
また、眼鏡１００においては、モダン部Ｍの前支持部３ｂの柔軟性が優れるので、フィットさせる際、前支持部３ｂのみを水平方向に変形させることができる。これにより、使用者の頭部の形状が異なる場合であっても、その形状に合わせてモダン部Ｍを全体的に使用者の頭部にフィットさせることができるので、眼鏡のずれを抑制することができる。
さらに、眼鏡１００においては、モダン部Ｍが部分的に頭部を圧迫することがないため、掛け心地が極めて優れる。
さらにまた、眼鏡１００全体として見た場合にも、特別なリンク機構等を設けないため、部品点数が少なく、又、溶接加工が不要で、製造コストが低く、シンプルな構造とすることができる。
【００４７】
以上、本考案の好適な実施形態について説明したが、本考案は上記実施形態に限定されるものではない。
【００４８】
本実施形態に係る眼鏡は、フロント部Ｆの両端に設けられたヒンジ部Ｓを介してテンプル部Ｔが設けられているが、必ずしもヒンジ部Ｓを介している必要はない。
例えば、フロント部Ｆの両端から直接テンプル部Ｔが取り付けられていてもよい。この場合、テンプル部Ｔの本体部２ａには弾性があることが望ましい。
【００４９】
本実施形態に係る眼鏡は、鼻パッドを有していないが有していてもよい。
【００５０】
本実施形態に係る眼鏡において、フロント部Ｆは、左右一対のレンズＬと、両レンズＬを架橋するブリッジ１とを有しているが、レンズＬは、フレームに取り付けられたものであってもよく、フレームのみでレンズがないものであってもよい。
【００５１】
本実施形態に係る眼鏡において、テンプル部Ｔの本体部２ａは、板状となっているが、これに限定されない。例えば、複数の線からなるものであってもよい。
また、本体部２ａには模様やキャラクター等の意匠が描かれていてもよく、これらが描かれたものが本体部２ａに付与されていてもよい。
【００５２】
本実施形態に係る眼鏡において、モダン部Ｍは、使用者の頭部の形状に沿うように、内側の側面が湾曲した平面となっているが、必ずしも使用者の頭部の形状に沿うように湾曲させる必要はない。
【００５３】
本実施形態に係る眼鏡において、前支持部３ａは、後支持部３ｂの前端から前方に延びた構造となっているが、これに限定されない。
図７の（ａ）又は（ｂ）は、他の実施形態に係る眼鏡におけるモダン部を示す側面図である。
図７の（ａ）に示すように、前支持部３１ａは、後支持部３１ｂの前端から前方に二股に延びた構造となっていてもよい。すなわち、前支持部は、二股形状となっていてもよい。この場合、モダン部Ｍ１と側頭部との接触面積が増えるので、フィット感をより向上させることができる。
また、図７の（ｂ）に示すように、前支持部３２ａは、前端が下方に屈曲していてもよい。この場合、モダン部Ｍ２と側頭部との接触面積が増えるので、フィット感をより向上させることができる。
【００５４】
本実施形態に係る眼鏡において、前支持部３ａの材質は、エラストマーからなっているが、柔軟性を有するものであれば、これに限定されない。
また、後支持部３ｂの材質は、熱可塑性樹脂からなっているが、これに限定されない。
なお、前支持部３ａの材質と後支持部３ｂの材質とは同じであっても、異なっていてもよい。
【００５５】
本実施形態に係る眼鏡において、モダン部Ｍにおいては、前支持部３ａの内部に前支持部３ａの長手方向に沿って一本の金属芯４が挿入されているが。これに限定されない。
図８の（ａ）又は（ｂ）は、他の実施形態に係る眼鏡におけるモダン部を示す側面図である。
図８の（ａ）に示すように、金属芯４１は、二股形状となるように前支持部３ａの内部に挿入されていてもよい。この場合、前支持部をねじれ方向に塑性変形させ易い。
また、図８の（ｂ）に示すように、金属芯４２は、前端が下方に屈曲していてもよい。この場合、前支持部をねじれ方向に塑性変形させ易い。
なお、図示しないが、金属芯は、複数本が前支持部３ａの内部に挿入されていてもよい。
【産業上の利用可能性】
【００５６】
本考案は、近視用、老眼用、乱視用、ファッション用等の眼鏡として用いることができる。本考案によれば、構造がシンプルであり、使用者の頭部に簡単にフィットさせることができると共に、掛け心地にも優れる。
【符号の説明】
【００５７】
１・・・ブリッジ
１００・・・眼鏡
２ａ・・・本体部
２ｂ・・・取付部
３ａ，３１ａ，３２ａ・・・前支持部
３ｂ，３１ｂ・・・後支持部
４，４１，４２・・・金属芯
５・・・当接部
７・・・中空部
Ｆ・・・フロント部
Ｌ・・・レンズ
Ｍ，Ｍ１，Ｍ２・・・モダン部
Ｓ・・・ヒンジ部
Ｔ・・・テンプル部
【図１】
0003198964.tif 000003
【図２】
0003198964.tif 000004
【図３】
0003198964.tif 000005
【図４】
0003198964.tif 000006
【図５】
0003198964.tif 000007
【図６】
0003198964.tif 000008
【図７】
0003198964.tif 000009
【図８】
0003198964.tif 000010